(57)【特許請求の範囲】
【請求項１】
着用者の顔面の前方側で当該顔面の幅方向に沿って延在し、装着時に、下方側から上方側へ立設して前記着用者の呼吸器の前方側に配置されるマスク部の下端部を支持可能なマスク支持部と、
前記マスク支持部と一体に形成され、前記マスク支持部の延在方向の両端部から後方側にそれぞれ延在し、弾性復元力により着用者の顔面を幅方向の両側から挟持する一対の挟持部と、を有し、
前記マスク支持部には、延在方向の両端部に支持用突起が一体に形成されており、
前記マスク支持部と前記支持用突起との間に形成された溝部の内側に前記マスク部の幅方向の両側を挿入することで支持可能となっている、衛生マスク用フレーム。
【請求項２】
前記支持用突起は、前記マスク支持部との間に平面視で鋭角を成す前記溝部を形成している、請求項１に記載の衛生マスク用フレーム。
【請求項３】
前記マスク支持部と前記挟持部は、長尺な棒状の部材を略Ｕ字状に折り曲げて一体に形成されている、請求項１又は請求項２に記載の衛生マスク用フレーム。
【請求項４】
前記マスク支持部には、前記マスク部と対向する面に下端部から上端部に向かうにつれて後方側に傾斜された傾斜面部が形成されており、
前記マスク支持部は前記マスク部の幅方向の両側を前記溝部に挿入することにより前記マスク部を前記マスク支持部に沿って湾曲させ、且つ、湾曲した前記マスク部を前記傾斜面部に当接させることにより、前記マスク部を前記傾斜面部に沿って傾斜させた状態で支持可能とされている、
請求項１〜請求項３の何れか１項に記載の衛生マスク用フレーム。
【請求項５】
前記挟持部は、延在方向の後端部が直線状に形成され、前記着用者の耳の後方側まで延在している、
請求項１〜請求項４の何れか１項に記載の衛生マスク用フレーム。
【請求項６】
前記挟持部の延在方向の前端部には、一対の前記挟持部の内側へ凸をなすように曲げられた曲げ部が形成されている、
請求項１〜請求項５の何れか１項に記載の衛生マスク用フレーム。
【請求項７】
前記曲げ部は、一対の前記挟持部の内側へ凸をなすように略Ｖ字状に曲げられて形成されている、
請求項６に記載の衛生マスク用フレーム。
【請求項８】
着用者の顔面の前方側で当該顔面の幅方向に沿って延在するマスク支持部と、
前記マスク支持部と一体に形成され、前記マスク支持部の延在方向の両端部から後方側にそれぞれ延在し、弾性復元力により着用者の顔面を左右両側から挟持する一対の挟持部と、
前記マスク支持部に下端部が支持され、装着時に、下方側から上方側へ立設して前記着用者の呼吸器の前方側に配置されるマスク部と、を有し、
前記マスク支持部には、延在方向の両端部に支持用突起が一体に形成されており、
前記マスク支持部と前記支持用突起との間に形成された溝部の内側に前記マスク部の幅方向の両側を挿入することで支持可能となっている、衛生マスク。
【発明の詳細な説明】
【技術分野】
【０００１】
本発明は、衛生マスク用フレーム及び衛生マスクに関する。
【背景技術】
【０００２】
特許文献１に開示された衛生マスクは、マスク本体と、マスク本体の左右両側の後端部同士を連結する装着紐を備えている。このマスク本体は、マスク本体の下部に形成された顎当て部を着用者の顎に当て、装着紐を耳にかけて頭の後ろに回すことにより頭部に固定される。これにより、マスク本体の上部に形成された口前展開部が、呼吸器（口や鼻）の前方側に配置され、呼吸器から飛散する飛散物の拡散を抑制することができる構成となっている。
【先行技術文献】
【特許文献】
【０００３】
【特許文献１】特開２００５−１８５３８１号公報
【発明の概要】
【発明が解決しようとする課題】
【０００４】
しかしながら、上記特許文献１に記載された技術では、マスク本体と装着紐が別体として構成されている。このため、マスク本体の後端部に装着紐を連結させるための手段を設けることで構造が複雑になり、生産性が低い。
【０００５】
また、上記特許文献１に記載された衛生マスクでは、装着に際し、マスク本体の顎当て部を支えながら、マスク本体と装着紐の輪の内側に頭部を通す必要がある。従って、例えば、帽子を被った状態や、髪飾りを付けた状態では、これらと装着紐が干渉して簡単に装着することができない場合がある。
【０００６】
本発明は上記事実を考慮し、生産性が高く、簡単に装着することができる衛生マスク用フレーム及び衛生マスクを提供することを目的とする。
【課題を解決するための手段】
【０００７】
請求項１に記載の本発明に係る衛生マスク用フレームは、着用者の顔面の前方側で当該顔面の幅方向に沿って延在し、装着時に、下方側から上方側へ立設して前記着用者の呼吸器の前方側に配置されるマスク部の下端部を支持可能なマスク支持部と、前記マスク支持部と一体に形成され、前記マスク支持部の延在方向の両端部から後方側にそれぞれ延在し、弾性復元力により着用者の顔面を幅方向の両側から挟持する一対の挟持部と、を有し、前記マスク支持部には、延在方向の両端部に支持用突起が一体に形成されており、前記マスク支持部と前記支持用突起との間に形成された溝部の内側に前記マスク部の幅方向の両側を挿入することで支持可能となっている。
【０００８】
請求項１に記載の本発明に係る衛生マスク用フレームでは、着用者の顎の前方側で顔面の幅方向に沿って延在するマスク支持部と、マスク支持部の延在方向の両端部からそれぞれ後方側に延在する一対の挟持部が設けられている。この衛生マスク用フレームは、一対の挟持部の弾性復元力により着用者の顔面を両側から挟持することにより装着される。この状態で、マスク支持部に支持されたマスク部が着用者の呼吸器の前方側に配置される。これにより、マスク部によって、呼吸器から飛散する飛散物の拡散を抑制することができる。
【０００９】
ここで、請求項１に記載の衛生マスク用フレームでは、マスク支持部と挟持部が一体に形成されている。このため、これらが別体に構成される場合に比べて構造が単純化され、更に、部品点数も抑えられる。よって、製造が容易になる。また、着用者の前方側から一対の挟持部で顔面を挟持することにより装着できるため、頭頂部や後頭部と干渉せず簡単に装着することができる。
また、マスク支持部の延在方向の両端部に、支持用突起が一体に形成されており、マスク支持部は、当該支持用突起によりマスク部の幅方向の両側を支持することができる。これにより、衛生マスク用フレームにマスク部を支持するための支持部材の取り付けが不要となり、部品点数を抑えることができる。
請求項２に記載の本発明に係る衛生マスク用フレームは、前記支持用突起は、前記マスク支持部との間に平面視で鋭角を成す前記溝部を形成している。
【００１０】
請求項３に記載の本発明に係る衛生マスク用フレームは、請求項１又は請求項２に記載の構成において、前記マスク支持部と前記挟持部は、長尺な棒状の部材を略Ｕ字状に折り曲げて一体に形成されている。
【００１１】
請求項３に記載の本発明に係る衛生マスク用フレームでは、長尺な棒状の部材を略Ｕ字状に折り曲げて、マスク支持部と挟持部とを一体に形成している。このように、衛生マスク用フレームを略Ｕ字状に折り曲げられた簡単な形状のフレームで構成することができるため、製造が容易であり、生産性が更に高まる。
【００１４】
請求項４に記載の本発明に係る衛生マスク用フレームは、請求項１〜請求項３の何れか１項に記載の構成において、前記マスク部と対向する面に下端部から上端部に向かうにつれて後方側に傾斜された傾斜面部が形成されており、前記マスク支持部は前記マスク部の幅方向の両側を前記溝部に挿入することにより前記マスク部を前記マスク支持部に沿って湾曲させ、且つ、湾曲した前記マスク部を前記傾斜面部に当接させることにより、前記マスク部を前記傾斜面部に沿って傾斜させた状態で支持可能とされている。
【００１５】
請求項４に記載の本発明に係る衛生マスク用フレームでは、前記マスク支持部の傾斜面部に沿ってマスク部を支持することにより、マスク部を下端部から上端部に向かうにつれて後方側に傾斜された状態で支持することができる。これにより、マスク部が、顔面から過度に離間されない姿勢で配置され、呼吸器から飛散する飛散物の拡散を効果的に抑制することができる。
【００１６】
請求項５に記載の本発明に係る衛生マスク用フレームは、請求項１〜請求項４の何れか１項に記載の構成において、前記挟持部は、延在方向の後端部が直線状に形成され、前記着用者の耳の後方側まで延在している。
【００１７】
請求項５に記載の本発明に係る衛生マスク用フレームでは、挟持部における延在方向の後端部が直線状に形成されており、着用者の耳の後方側まで延在している。このため、衛生マスク用フレームの重心が、挟持部の後端部の重量によって後方側に移動され、全ポイ側でマスク部を支持するマスク支持部との重量バランスをとることができる。これにより、挟持部は、小さな弾性復元力によってマスク支持部の位置を安定して保持することができる。
【００１８】
請求項６に記載の本発明に係る衛生マスク用フレームは、請求項１〜請求項５の何れか１項に記載の構成において、前記挟持部の延在方向の前端部には、一対の前記挟持部の内側へ凸をなすように曲げられた曲げ部が形成されている。
【００１９】
請求項６に記載の本発明に係る衛生マスク用フレームでは、挟持部の延在方向の前端部が曲げ部とされているため、装着時、一対の挟持部を互いに離間する方向に弾性変形させると、挟持部は曲げ部を支点に変形される。このため、挟持部の弾性変形に伴うマスク支持部の変形が抑制され、マスク支持部でマスク部を安定して支持することができる。また、曲げ部が一対の挟持部の内側へ凸をなすように曲げられているため、挟持部に外側へ突出した凹凸が形成されない。このため、装着状態において、挟持部及びアーム支持部が着用者の顎先の輪郭に沿う形状となり、装着時の安定性及び意匠性に優れる。
【００２０】
請求項７に記載の本発明に係る衛生マスク用フレームは、請求項６に記載の構成において、前記曲げ部は、一対の前記挟持部の内側へ凸をなすように略Ｖ字状に曲げられて形成されている。
【００２１】
請求項７に記載の本発明に係る衛生マスク用フレームでは、挟持部の前端部に設けられた曲げ部が、略Ｖ字状に形成されている。これにより、挟持部の弾性変形に対する剛性が、曲げ部において高められる。これにより、挟持部の弾性復元力を高めることができる。
【００２２】
請求項８に記載の本発明に係る衛生マスクは、着用者の顔面の前方側で当該顔面の幅方向に沿って延在するマスク支持部と、前記マスク支持部と一体に形成され、前記マスク支持部の延在方向の両端部から後方側にそれぞれ延在し、弾性復元力により着用者の顔面を左右両側から挟持する一対の挟持部と、前記マスク支持部に下端部が支持され、装着時に、下方側から上方側へ立設して前記着用者の呼吸器の前方側に配置されるマスク部と、を有し、前記マスク支持部には、延在方向の両端部に支持用突起が一体に形成されており、前記マスク支持部と前記支持用突起との間に形成された溝部の内側に前記マスク部の幅方向の両側を挿入することで支持可能となっている。
【００２３】
請求項８に記載の本発明に係る衛生マスクでは、上記請求項１に記載の衛生マスク用フレームと同様に、製造が容易であり、簡単に装着することができる。
【発明の効果】
【００２４】
以上説明したように、本発明に係る衛生マスク用フレーム及び衛生マスクは、生産性が高く、簡単に装着することができるという優れた効果を有する。
【図面の簡単な説明】
【００２５】
【図１】本実施形態に係る衛生マスク用フレームの斜視図である。
【図２】本実施形態に係る衛生マスク用フレームの平面図である。
【図３】（Ａ）は、図２の３Ａ−３Ａ断面線に沿って切断した状態を示す衛生マスク用フレームの側面図であり、（Ｂ）は、（Ａ）に示す切断面を拡大して示す拡大断面図である。
【図４】（Ａ）は、第１実施形態に係る衛生マスク用フレームのマスク支持部の拡大図であり、（Ｂ）は、マスク支持部の中央部を拡大して示す部分拡大図である。
【図５】本実施形態に係る衛生用マスクフレームを装着した着用者を斜め前方側から見た図であって、マスク支持部にマスク部が支持された状態を示す斜視図である。
【図６】図５に示す着用者を左側方から見た側面図である。
【図７】変形例に係る衛生マスク用フレームを上方から見た図２に対応する平面図である。
【図８】変形例に係る衛生マスク用フレームの挟持部を上方から見た図２に対応する平面図である。
【図９】変形例に係る衛生マスク用フレームの挟持部を示す側面図である。
【発明を実施するための形態】
【００２６】
［第１実施形態］
以下、図１〜図６を用いて、本実施形態に係る衛生マスク１０について説明する。なお、なお、以下の説明で特記なく上下、左右の方向を用いる場合は、図５及び図６に示すように、衛生マスク１０を着用した着用者Ｐから見た上下、左右を示すものとする。            
【００２７】
図１〜図６に示されるように、衛生マスク１０は、着用者Ｐの頭部Ｈに固定される衛生マスク用フレームとしてのフレーム部２０と、着用者Ｐの口Ｍや鼻Ｎなどの呼吸器の前方側に配置されるマスク部４０とを備えている。なお、図１〜図４では、マスク部４０を省略して図示している。
【００２８】
（フレーム部）
図１に示されるように、フレーム部２０は、一例として、樹脂材料で形成されている。このフレーム部２０は、長尺な棒状の部材で構成されており、全体を略Ｕ字状に折り曲げて形成することにより、マスク部４０を支持するマスク支持部２２と、着用者Ｐの頭部Ｈを挟持する一対の挟持部２４とが一体に形成されている。
【００２９】
着用者Ｐは、顔面Ｆの前方側で一対の挟持部２４を把持すると共に、挟持部２４の弾性力に抗いながら一対の挟持部２４を左右方向に離間させる。その後、一対の挟持部２４の内側に顔面Ｆが挿入されると、一対の挟持部２４は、弾性復元力によって互いに近づく方向に付勢され、顔面Ｆを幅方向の両側から挟持する。これにより、衛生マスク１０の装着が完了する。以下、衛生マスク１０を構成するマスク支持部２２、マスク部４０、挟持部２４について順番に説明する。
【００３０】
（マスク支持部）
マスク支持部２２は、着用者Ｐが衛生マスク１０を装着した状態で、着用者Ｐの顔面Ｆの前方側に配置される（図５参照）。このマスク支持部２２は、平面視で顔面Ｆの前方側に凸をなすように緩やかに湾曲しており、顔面Ｆの幅方向に沿って延在している。また、マスク支持部２２は、延在方向に対して略垂直な方向に沿って切断した断面が略台形状とされており、顔面Ｆに面して配置される内側面が、下端部から上端部に向かうにつれて後方側（顔面Ｆ側）に傾斜された傾斜面部２２Ａとされている。
【００３１】
また、マスク支持部２２には、延在方向の中央部にマスク部４０を支持するための支持用凸部２６が一体に形成されている。支持用凸部２６は、傾斜面部２２Ａから後方側に突出する略円柱状に形成されると共に、先端側を構成する大径部２６Ａと、大径部２６Ａより外径が小径とされた小径部２６Ｂを備えている。この支持用凸部２６の大径部２６Ａは、後述するマスク部４０の下端部に設けられた取付穴４２に対して係合可能に構成されている。
【００３２】
さらに、マスク支持部２２には、延在方向の両端部にマスク部４０を支持するための支持用突起２８がそれぞれ一体に形成されている。この左右一対の支持用突起２８は、マスク支持部２２略延材方向に沿って対向して配置されており、互いに近づく方向に突出している。これらの支持用突起２８は、平面視で略三角形状に形成されており、マスク支持部２２の傾斜面部２２Ａとの間にＶ字状の溝部３０を形成する構成とされている。この支持用突起２８により形成された溝部３０にマスク部４０の幅方向の両側がそう挿入され、支持される構成となっている。
【００３３】
（マスク部）
本実施形態では、マスク部４０は、上述したマスク支持部２２の支持用凸部２６及び支持用突起２８を用いてマスク支持部２２に支持されると共に、マスク支持部２２に対して着脱可能に構成されている。以下、図４（Ａ）、図４（Ｂ）を用いてマスク部４０と、マスク部４０の取付方法について説明する。
【００３４】
図４（Ａ）に示されるように、マスク部４０は、一例として樹脂材料で形成されている。マスク部４０は、矩形状の板状部材とされており、上述したフレーム部２０に取り付けられた状態では、フレーム部２０から上方側に立設して着用者Ｐの呼吸器の前方側に配置される（図５参照）。本実施形態では、マスク部４０は、プラスチック板等の透明であり、且つ、薄い板状部材で構成されている。このため、マスク部４０の外部から着用者Ｐの口元が視認可能となっており、衛生マスク１０の着用状態においても外部から表情や口元の動きを読み取ることができ、コミュニケーションを円滑に行うことができる。
【００３５】
マスク部４０の下端部には、幅方向（顔面Ｆの幅方向）の中央に、マスク部４０を貫通する取付穴４２が形成されている。取付穴４２は、フレーム部２０の支持用凸部２６に対応して設けられており、取付穴４２の内径は、支持用凸部２６の大径部２６Ａの外径よりも若干小さい寸法に設定されている。マスク部４０の取付穴４２は、所定以上の外力で支持用凸部２６の大径部２６Ａに押し付けられることにより、周縁部が変形して大径部２６Ａを乗り越えることができる、これにより、支持用凸部２６と取付穴４２の大径部２６Ａとが係合して、マスク部４０の下端部の中央がマスク支持部２２に支持される。なお、マスク部４０とマスク支持部２２とを所定以上の外力で引き離すことにより、支持用凸部２６と取付穴４２との係合状態は解除される。
【００３６】
一方、マスク部４０の幅方向の両側を構成する側部４０Ａ、４０Ｂには、幅方向の内側に凹をなす矩形状の切り欠き部４４がそれぞれ形成されている。左右一対の切り欠き部４４は、フレーム部２０に形成された一対の支持用突起２８に対応して設けられており、各切り欠き部４４の上下方向の幅は、支持用突起２８を内側に挿入可能な高さに設定されている。
【００３７】
マスク部４０の側部４０Ａ、４０Ｂは、切り欠き部４４の内側に対応する支持用突起２８を挿入するようにしてマスク支持部２２の傾斜面部２２Ａと支持用突起２８との間に形成された溝部３０に挿入される。つまり、マスク部４０は、切り欠き部４４によって支持用突起２８をスムーズに乗り越えることが可能とされ、側部４０Ａ、４０Ｂを溝部３０の内側に挿入させることができる。これにより、マスク部４０の側部４０Ａ、４０Ｂ、が、一対の支持用突起２８によって支持される。また、マスク支持部２２は、上述した通り、着用者Ｐの前方側に凸をなすように湾曲されているため、マスク部４０もマスク支持部２２に沿って緩やかに湾曲される。これにより、マスク部４０の側部４０Ａ、４０Ｂ（切り欠き部４４の底）には、側部４０Ａ、４０Ｂを支持用突起２８の側面（前方側の面）に突き当てる方向に力が働き、側部４０Ａ、４０Ｂの変位や脱落が効果的に抑制される。また、この状態では、切り欠き部４４が溝部３０に嵌合されて、側部４０Ａ、４０Ｂの脱落等がより効果的に抑制される構成となっている。
【００３８】
ここで、マスク部４０がマスク支持部２２に沿って配置された状態では、マスク部４０の外側面（顔面に面した内側面と反対の面）がマスク支持部２２の傾斜面部２２Ａに当接し、傾斜面部２２Ａに沿って傾斜される。つまり、マスク部４０が、下端部から上端部に向かうにつれて後方側に傾斜された状態となり、衛生マスク１０の装着状態で、マスク部４０が略上下方向に沿って起立した姿勢で配置可能とされる。このため、マスク部４０が顔面Ｆから過度に離間されない姿勢で配置され、マスク部４０を用いて呼吸器の全体が効果的に覆われる。
【００３９】
（挟持部）
次に、図１〜図３を用いて、フレーム部２０を構成する一対の挟持部２４について詳細に説明する。これらの挟持部２４は、マスク支持部２２の延在方向の両端部にそれぞれ一体に形成されており、当該両端部から後方側へ延在している。一対の挟持部２４は、着用者Ｐが衛生マスク１０を装着した状態で、弾性復元力により、着用者Ｐの顔面Ｆを幅方向の両側から挟持する構成とされている（図５参照）。
【００４０】
挟持部２４は、全体として略直線状に形成されているが、マスク支持部２２の両端部と連続する前端部には、一対の挟持部２４の内側に凸をなすように曲げられた曲げ部３２が設けられている。また、挟持部２４は、曲げ部３２の後端部から後方側に延在する直線部３４を備えている。
【００４１】
図２に示されるように、曲げ部３２は、平面視で略Ｖ字状に形成されている。より具体的に説明すると、曲げ部３２は、マスク支持部２２の前端部から後方側へ斜め内側（一対の挟持部２４の内側）方向に伸びる前方直線部３２Ａと、直線部３４の前端部から前方側へ斜め内側方向に延びる後方直線部３２Ｂとを含んでいる。また、前方直線部３２Ａの後端部と後方直線部３２Ｂの前端部とが屈曲部３２Ｃによって繋がれている。
【００４２】
上記曲げ部３２について特筆すべき第１の点は、衛生マスク１０の装着時、及び装着状態におけるマスク部４０の位置ずれや脱落を抑制することにある。衛生マスク１０の装着時、及び、装着状態では、一対の挟持部２４が左右方向に互いに離間する方向に弾性変形される。ここで、挟持部２４は、前端部が一対の挟持部２４の内側に凸をなす曲げ部３２とされているため、当該曲げ部３２を支点に弾性変形される（図２に実線で示す変形前の位置から２点鎖線で示す変形後の位置を参照）。このため、挟持部２４からマスク支持部２２に伝達される荷重が低減され、挟持部２４の弾性変形に伴うマスク支持部２２の変形が抑制される。これにより、衛生マスク１０の装着時、及び装着状態におけるマスク部４０の位置ずれや脱落が抑制される。
【００４３】
曲げ部３２について特筆すべき第２の点は、曲げ部３２の形状をＶ字状に形成することにより、衛生マスク１０を装着した際の安定感の向上と軽量化とを両立させることにある。本実施形態のように曲げ部３２がＶ字状に形成されることにより、一対の挟持部２４の弾性変形に対する剛性が曲げ部において高められている。これにより、軽量化を図るためにフレーム部の太さを細くした場合でも、一対の挟持部２４から充分に弾性復元力を得られる構成となっている。
【００４４】
また、曲げ部３２について特筆すべき第３の点は、衛生マスク１０を装着した際の着用者Ｐの感じる締め付け感を低減させることにある。ところで、本実施形態に係る衛生マスク１０のフレーム部２０は、一対の挟持部２４によって着用者Ｐの顔面Ｆを両側から挟持することにより固定される。このため、挟持部２４と着用者Ｐの顔面Ｆとが接触する位置が顔面Ｆの前方側であるほど着用者Ｐの口元の運動に影響を与えるため、着用者Ｐに締め付け感を与えることになる。ここで、本実施形態では、挟持部２４の前端部に曲げ部３２を形成することにより、全体が直線形状に形成される挟持部と比べ、一対の挟持部２４の前部における左右方向の間隔を大きく設定することができる。これにより、挟持部２４と着用者Ｐの顔面Ｆとが接触する位置を顔面Ｆの後方側に移動させることができ、衛生マスク１０による締め付け感が低減される構成となっている。
【００４５】
さらに、曲げ部３２を設ける第４の理由は、衛生マスク１０の装着時における意匠性を向上させることにある。図４に示されるように、曲げ部３２が一対の挟持部２４の内側へ凸をなすように曲げられているため、挟持部２４に外側へ突出した凹凸が形成されない。このため、衛生マスク１０を装着した状態では、挟持部２４及びマスク支持部２２が着用者Ｐの顎先の輪郭に沿う形状となり、装着時の安定性及び意匠性に優れる。
【００４６】
なお、本実施形態では、意匠性の観点から曲げ部３２が一対の挟持部２４の内側に向かって凸をなす形状とされたが、上記第１〜第３の特筆点の観点からは、曲げ部３２を一対の挟持部２４の外側に向かって凸をなす形状として構成としてもよい。
【００４７】
一方、図３（Ａ）に示されるように、直線部３４は、曲げ部３２の後端部から後方側へ直線状に延びている。また、一対の挟持部２４の直線部３４は、着用者Ｐに装着される前の状態では、前方側から後方側へ向かうにつれて、互いに近づく方向に斜めに延在している（図２参照）。直線部３４には、延在方向の中間部に側面視で下方側に凸をなす段差部３４Ａが形成されている。そして、段差部３４Ａより前方側の部位に比べて、中間部より後方側の部位の方が上下方向の幅が大きくなるように設定されている。この段差部３４Ａより後方側の部位は、衛生マスク１０の装着状態で着用者Ｐの頭部Ｈと接触する可能性の高い範囲として設定されており、一対の挟持部２４で頭部Ｈを挟持した際の接触面積を増加させ、衛生マスク１０が頭部Ｈに安定して支持されるように構成されている。また、直線部３４の左右方向の幅は、前端部から後端部まで同一の幅に設定されている。このため、着用者の顔面Ｆを含む頭部Ｈと接触する内側面３４Ｂが面一に形成されており、装着状態における違和感を低減させる構成とされている。
【００４８】
ここで、図６は、着用者Ｐが衛生マスク１０を装着した状態を左側方から見た側面図である。この図に示されるように、着用者Ｐが衛生マスク１０を装着した状態では、挟持部２４は、着用者Ｐの顎先から耳Ｅの上方側を通って頭部Ｈの後方側に延在しており、前方側から後方側に向かうにつれて上方側に傾斜されている。また、この状態では、フレーム部２０の前端部（マスク支持部２２）が着用者Ｐの顔面Ｆから離間して配置されている。
【００４９】
一方、直線部３４において、段差部３４Ａが形成された中間部から後方側の部位が、着用者Ｐの顔面Ｆ（耳Ｅの上方側の部位）を幅方向の両側から挟持している。ここで、本実施形態では、直線部３４の後端部を着用者Ｐの耳Ｅよりも後方側に延在させることにより、耳Ｅよりも前方側に配置された衛生マスク１０の前方部分との重量バランスを調整している。つまり、直線部３４の後端部を耳Ｅよりも後方側に延在させることにより、フレーム部２０の重心が直線部３４の後端部の重量によって後方側に移動される。このため、図６に示すように、フレーム部２０の前端部（マスク支持部２２）が着用者Ｐの顎で支持されない位置に配置されても、マスク支持部２２を安定して保持することができる。
【００５０】
図５及び図６に示す装着状態では、マスク支持部２２が着用者Ｐの顔面Ｆに当接しないため、着用者Ｐの感じる締め付け感等はさらに軽減される。また、顔面Ｆとマスク支持部２２との間に適度な間隙が形成されるため、装着中にマスク部の内側が結露することを抑制することができる。
【００５１】
なお、衛生マスク１０は、マスク支持部２２を着用者Ｐの顔面Ｆ（顎等）に当接させて装着することもできる。
【００５２】
（作用並びに効果）
次に、本実施形態の作用並びに効果を説明する。
【００５３】
本実施形態に係る衛生マスク１０のフレーム部２０には、着用者Ｐの顔面Ｆの前方側で当該顔面Ｆの幅方向に沿って延在するマスク支持部２２を有している。また、フレーム部２０は、マスク支持部２２の延在方向の両端部からそれぞれ後方側に延在する一対の挟持部２４を有している。このフレーム部２０は、一対の挟持部２４の弾性復元力により着用者Ｐの顔面Ｆを両側から挟持することにより装着される。この状態で、マスク支持部２２に支持されたマスク部４０が着用者Ｐの呼吸器（口Ｍ及び鼻Ｎ）の前方側に配置される。これにより、マスク部４０によって、呼吸器から飛散する飛散物の拡散を抑制することができる。
【００５４】
ここで、フレーム部２０は、マスク支持部２２と挟持部２４が一体に形成されている。このため、これらが別体に構成される場合に比べて、構造が単純化され、更に、部品点数も抑えられる。よって、生産性が高い。また、着用者Ｐの前方側から一対の挟持部２４で顔面Ｆを挟持することにより装着できるため、頭頂部や後頭部と干渉せず、帽子を被った状態や、髪飾りを付けた状態でも簡単に装着することができる。
【００５５】
また、本実施形態におけるフレーム部２０は、長尺な棒状の部材を略Ｕ字状に折り曲げてマスク支持部２２と挟持部２４とを一体に形成している。このように、フレーム部２０を略Ｕ字状に折り曲げられた簡単な形状で構成することができるため、製造が容易であり、生産性が更に高まる。
【００５６】
また、本実施形態では、マスク支持部２２に一体に形成された一対の支持用突起２８によって、マスク部４０の幅方向の両側を構成する側部４０Ａ、４０Ｂを支持することができる。これにより、フレーム部２０にマスク部４０を支持するための支持部材の取り付けが不要となり、部品点数を抑えることができる。
【００５７】
また。本実施形態では、マスク支持部２２の傾斜面部２２Ａに沿ってマスク部４０を支持することにより、マスク部４０を下端部から上端部に向かうにつれて後方側に傾斜された状態で支持することができる。これにより、マスク部４０が顔面Ｆから過度に離間されない姿勢で配置され、呼吸器から飛散する飛散物の拡散を効果的に抑制することができる。
【００５８】
また、本実施形態では、挟持部２４における延在方向の後端部が直線状に形成されており、着用者Ｐの耳Ｅの後方側まで延在している。このため、フレーム部２０の重心が挟持部の後端部の重量によって後方側に移動され、前方側でマスク部４０を支持するマスク支持部２２とのバランスをとることができる。これにより、挟持部２４は、小さな弾性復元力によってマスク支持部２２の位置を安定して保持することができる。
【００５９】
また、本実施形態では、挟持部２４の延在方向の前端部が曲げ部３２とされているため、装着時、一対の挟持部２４を互いに離間する方向に弾性変形させると、挟持部２４は曲げ部３２を支点に変形される。このため、挟持部２４の弾性変形に伴うマスク支持部２２の変形が抑制され、マスク支持部２２でマスク部４０を安定して支持することができる。また、曲げ部３２が一対の挟持部２４の内側へ凸をなすように曲げられているため、挟持部２４に外側へ突出した凹凸が形成されない。このため、装着状態において、挟持部２４及びマスク支持部２２が着用者Ｐの顎先の輪郭に沿う形状となり、装着時の安定性及び意匠性に優れる。
【００６０】
また、本実施形態では、曲げ部３２が、略Ｖ字状に形成されているため、挟持部２４の弾性変形に対する剛性が、曲げ部３２において高められる。これにより、挟持部２４の弾性復元力を高めることができる。
[補足説明]
【００６１】
上記実施形態では、フレーム部２０の挟持部２４の前端部に曲げ部３２を形成する構成としたが、本発明はこれに限らない。図７に示す変形例のように、曲げ部３２を備えない構成としてもよい。なお、図７のフレーム部５０は、マスク支持部２２の延在方向の両端部と挟持部５２の前端部とが、円弧状に湾曲された湾曲部５４を介して一体に形成されている。その他の構成は、上記実施形態と同一である。
【００６２】
また、上記実施形態では、挟持部２４の後端部を直線状に形成したが、本発明はこれに限らない。図８に示す変形例に係る挟持部６０を適用してもよい。図８は、挟持部６０を上方側から見た平面図である。この図に示されるように、挟持部６０の後端部には、挟持部６０の内側面６０Ａに波形に形成された凹凸部６２が設けられている。当該構成によれば、一対の挟持部６０で着用者の顔面を挟持すると、凹凸部６２が滑り止めとなり、位置ずれや脱落を抑制する。
若しくは、上記実施形態に図９に示す変形例に係る挟持部７０を適用してもよい。図９は、挟持部７０を左側方から見た側面図である。挟持部７０の後端部には、挟持部７０の他の部分よりも上下方向に幅広の当接部７２が設けられている。この挟持部７０は、当接部７２によって着用者の頭部に対する接触面積が増加するため、当接部７２が滑り止めとなり、位置ずれや脱落を抑制する。
【００６３】
また、本実施形態では、傾斜面部２２Ａがマスク支持部２２の内側面に設けられている構成としたが、本発明はこれに限らず、傾斜面部２２Ａをマスク支持部２２の外側面に設ける構成としてもよい。これと同様に、支持用凸部２６及び支持用突起２８は、マスク支持部２２の外側面に一体形成される構成としてもよい。
また、本発明はこれに限らず、マスク支持部２２が傾斜面部２２Ａを備えない構成としてもよい。
また、マスク支持部２２は、支持用凸部２６のみ又は支持用突起２８のみを備える構成とし、支持用凸部２６のみ又は支持用突起２８のみでマスク部４０を支持する構成としてもよい。
【００６４】
また、上記実施形態では、マスク部４０の幅方向両側を構成する側部４０Ａ、４０Ｂに切り欠き部４４が形成されているが、本発明はこれに限らず、側部４０Ａ、４０Ｂに切り欠き部４４を形成しない構成としてもよい。
【００６５】
また、上記実施形態では、曲げ部３２がＶ字状に形成される構成としたが、本発明はこれに限らず、一対の挟持部２４の内側に凸をなす形状を適宜選択できる。例えば、円弧状でもよい。
【００６６】
また、上記実施形態では、一対の挟持部２４によって着用者Ｐの耳Ｅの上方側が挟持される構成としたが、本発明はこれに限らない。挟持部の後端部が耳の前方側に配置される程度に挟持部の全長を短く設定して、一対の挟持部によって着用者の耳よりも前方側の部分が顔面の幅方向両側から挟持される構成としてもよい。
【００６７】
また、本実施形態では、マスク部４０とフレーム部５０が別体で構成される構成としたが、これらを一体成形により形成してもよい。また、本実施形態では、組付け後もマスク部４０がフレーム部５０から着脱可能に構成されているが、マスク部４０とフレーム部５０を接着剤等を用いて接合し、組付け後は着脱不可能になるように構成してもよい。
【符号の説明】
【００６８】
１０    衛生マスク
２０    フレーム部（衛生マスク用フレーム）
２２    マスク支持部
２２Ａ  傾斜面部
２４    挟持部
２８    支持用突起
３２    曲げ部
４０    マスク部
５０    フレーム部
５２    挟持部
５４    湾曲部
６０    挟持部
７０    挟持部
Ｐ      着用者
Ｆ      顔面
Ｍ      口（呼吸器）
Ｎ      鼻（呼吸器）
Ｅ      耳
【要約】
【課題】生産性が高く、簡単に装着することができる衛生マスク用フレーム及び衛生マスクを得る。
【解決手段】衛生マスク１０は、着用者Ｐの顔面Ｆの前方側で当該顔面Ｆの幅方向に沿って延在するマスク支持部２２と、マスク支持部２２と一体に形成され、マスク支持部２２の延在方向の両端部から後方側にそれぞれ延在し、弾性復元力により着用者Ｐの顔面Ｆを左右両側から挟持する一対の挟持部２４を有するフレーム部２０と、マスク支持部２２に支持され、装着時に着用者Ｐの呼吸器（口Ｍ及び鼻Ｎ）の前方側に配置されるマスク部４０と、を有する。
【選択図】図５【図１】
0006905285.tif 000002
【図２】
0006905285.tif 000003
【図３】
0006905285.tif 000004
【図４】
0006905285.tif 000005
【図５】
0006905285.tif 000006
【図６】
0006905285.tif 000007
【図７】
0006905285.tif 000008
【図８】
0006905285.tif 000009
【図９】
0006905285.tif 000010